(57)【要約】【課題】簡単且つ容易に着脱できるようにされた新規の角帯、半幅帯、単衣帯等帯を提供することを目的とするものである。【解決手段】伸縮可能糸と伸縮不可能糸を以て長手方向には伸縮するように、幅方向には伸縮しないように織製された巻付け部分及び当該巻付け部分の内端に連設された余剰端部分から形成された角帯本体と、角帯本体の全面個所もしくは巻付け部分の内端側個所に散在する配置で設けられた多数個の引掛孔と、巻付け部分の外端部に設けられた、上記引掛孔に選んで掛け止める引掛具を備えたことを特徴とするものである。【選択図】        図２
2004211243.tif 000002
【特許請求の範囲】
【請求項１】
巻付け部分及び当該巻付け部分の内端に連設された余剰端部分から形成された角帯本体と、上記角帯本体の全面個所もしくは上記巻付け部分の内端側個所に散在する配置で設けられた多数個の引掛孔と、上記巻付け部分の外端部に設けられた、上記引掛孔に選んで掛け止める引掛具を備えたことを特徴とする帯。
【請求項２】
上記角帯本体が、伸縮可能糸と伸縮不可能糸を以て長手方向に伸縮すると共に幅方向に伸縮しないように織製されたことを特徴とする請求項１記載の帯。
【請求項３】
上記角帯本体が、多数個の引掛孔が設けられた内側・外側帯構成材をズラシ可能の状態とした２枚重ね状態で構成されたことを特徴とする請求項１または２記載の帯。
【請求項４】
上記内側・外側帯構成材において巻付け部分と余剰端部分の連続部を糸等により止着されていることを特徴とする請求項３記載の帯。
【請求項５】
環の形状に構成された環型結び目部材を備えていることを特徴とする請求項１、２、３または４記載の帯。
【請求項６】
帯通し用環部分と跳上げ飾り部分とで形成された蝶型結び目部材を備えていることを特徴とする請求項１、２、３または４記載の帯。
【発明の詳細な説明】
【０００１】
【産業上の利用分野】
本発明は、簡単且つ容易に着脱できるようにされた新規の角帯、半幅帯、単衣帯等帯に関する。
【０００２】
【従来の技術】
抑々、お寺の住職のように頻繁に着替えを行う人は勿論、その他の人でもより素早く着替えるができる、便利な帯があればと考えている。そして、この期待に応えるべく本願発明者はベルクロファスナーを利用する帯（例えば、特許文献１参照）を提供した。しかし、世の常で、より便利な帯の要望がある。
【０００３】
【特許文献１】
実開平０６−１０３２３号公報
【０００４】
また、従来、伸縮自在なライトパイル（商品名）、ベルクロファスナーを使用して完成された帯は知られているが、この種の帯は、長期に亘って使用しているうちに硫黄分がでて変色したり、ベルクロファスナーの掛け外し操作で毛羽立ちが発生し易すかったりする等の問題点があった。
【０００５】
【発明が解決しようとする課題】
本発明は、上記要望に応えること、上記問題点を解消することができる新規の帯を提供することを目的とする。
【０００６】
【課題を解決するための手段】
上記目的を達成するために本発明に係る帯は、長手方向には伸縮可能の状態として、幅方向には伸縮不可能の状態として織製された巻付け部分及び当該巻付け部分の内端に連設された余剰端部分から形成された角帯本体と、角帯本体の全面個所もしくは巻付け部分の内端側個所に散在する配置で設けられた多数個の引掛孔と、巻付け部分の外端部に設けられた、上記引掛孔に選んで掛け止める鉤型引掛具を備えたものである。
【０００７】
そして、角帯本体が、多数個の引掛孔が設けられた内側・外側帯構成材をズラシ可能の状態とした２枚重ね状態で構成されたことを特徴とするものである。
【０００８】
また、上記内側・外側帯構成材において巻付け部分と余剰端部分の連続部を糸等により止着されているものである。
【０００９】
さらに、環の形状に構成された環型結び目部材を備えているものである。
【００１０】
また、帯通し用環部分と跳上げ飾り部分とで形成された蝶型結び目部材を備えているものである。
【００１１】
【発明の実施の形態】
図１〜図７は、本発明の第１実施例を示すものである。図中符号１は、伸縮可能糸と伸縮不可能糸を以て長手方向には伸縮するように、幅方向には伸縮しないように織製された角帯本体である。この角帯本体１は、織製によって多数個の引掛孔２が散在する配置で全面個所に亘って設けられた内側帯構成材３と、当該内側帯構成材３と同様にして構成された外側帯構成材４とがズラシ可能な状態として２枚重ねにされると共にこれ等内側・外側帯構成材３、４の一方端同士が止着状態とされ、また他方端同士が止着状態とされることによって構成されたものである。
【００１２】
この角帯本体１は、基端側が余剰端部分５として末端側が巻付け部分６として利用される。内側・外側帯構成材３、４は、その重ね状態時には両帯構成材３、４における引掛孔２が一致して内外に連通した状態となるように仕上げられている。また、上記の角帯本体１は、高価な羅織のものよりも廉価に仕上げるために化学繊維を用いて織製されている。
【００１３】
さらに、上記角帯本体１の巻付け部分６の外端部の内面には、一対の鉤型引掛具８が引掛孔２に掛け外し自在の位置関係として取付けられている。この鈎型引掛具６は巻付け部分６の外端部内に埋め込まれた芯材（図示せず）を使用して止着されている。なお、上記引掛具は、鉤型に限定されるものではなく他の型式で実施することができる。
【００１４】
また、上記内側・外側帯構成材３、４において巻付け部分６と末端寄り個所の中央位置は、上下にズレを起さないようにするために糸１０により止着されている。なお、当該糸１０による止着はこれを行わないでも実施することが可能であり、また、内側・外側帯構成材３、４における余剰端部分５の外端同士は、止着しないでは自由に動ける状態として着用時に生じる弛みを吸収するようにすることができる。
【００１５】
図８及び図９は、本発明の第２実施例を示すものである。この第２実施例は、上記第１実施例と同様にして構成した鈎型引掛具８付き角帯本体１と、上記内側・外側帯構成材３、４と同じ素材を用いて環の形状に構成された環型結び目部材１２とからなるものである。
【００１６】
図１０及び図１１は、本発明の第３実施例を示すものである。この第３実施例は、上記第１実施例と同様にして構成した鈎型引掛具８付き角帯本体１と、上記内側・外側帯構成材３、４と同じ素材を用いて構成された帯通し用環部分１３と跳上げ飾り部分１４とで形成された蝶型結び目部材１５と、から構成されたものである。
【００１７】
【作用】
次いで、上記第１実施例の使い方を説明する。
先ず、使用者は、自分で角帯本体１の余剰端部分５を左脇腹下の位置に当て、この当て状態で角帯本体１を腰に一巻きしたのち、この一巻きの巻き締め状態を維持しつつ鈎型引掛具８を当該鈎型引掛具８と対応する位置に存する引掛孔２に掛け止める（図１参照）。然るのち、上記余剰端部分５を真上に引き出し（図５参照）、この引出し部分１７を上記巻き締め部分に形を整えながら巻き付け（図６及び図７参照）、最後に全体を腰のまわりで廻すことを行って、よって巻付け部分６を腰の後に位置させて完了すればよい。
【００１８】
次いで、上記第２実施例の使い方を説明する。
先ず、使用者は、角帯本体１に環型結び目部材１２を通したままの状態で自分で角帯本体１の余剰端部分５を左脇腹下の位置に当て、この当て状態で角帯本体１を腰に一巻きしたのち、この一巻きの巻き締め状態を維持しつつ鈎型引掛具８を当該鈎型引掛具８と対応する位置に存する引掛孔２に掛け止める（図８参照）。然るのち、上記環型結び目部材１２を角帯本体１と余剰端部分５に沿って移動して当該環型結び目部材１２により鈎型引掛具８の引掛部分を隠し（図９参照）、最後に形を整え乍ら全体を腰のまわりで廻して環型結び目部材１２を腰の後に位置させ、完了すればよい。
【００１９】
次いで、上記第３実施例の使い方を説明する。
先ず、使用者は、跳上げ飾り部分１４が上に向く状態で帯通し用環部分１３を角帯本体１に通すことによって蝶型結び目部材１５を角帯本体１に移動自在に取付け、この取付けたままの状態において自分で角帯本体１の余剰端部分５を左脇腹下の位置に当て、この当て状態で角帯本体１を腰に一巻きすると共に、この一巻きの巻き締め状態を維持しつつ鈎型引掛具８を当該鈎型引掛具８と対応する位置に存する引掛孔２に掛け止め（図１０参照）、然るのち、角帯本体１と余剰端部分５に沿って蝶型結び目部材１５を移動して、当蝶形状結び目部材１５により鈎型引掛具８の引掛部分を隠す（図１１参照）。この隠し状態を確保してから上記余剰端部分５を上斜めの状態に引き上げ、この引上げ部分１８の形を跳上げ飾り部分１４とで蝶の形となるように整えながら別途用意したヘアピン状のクリップ（図示せず）等を角帯本体１の適宜個所に止め、最後に形を整えて全体を腰のまわりで廻し、よって蝶型結び目部材１５を腰の後に位置させて完了すればよい。
【００２０】
【発明の効果】
請求項１に係る帯は、上記ように、巻付け部分及び当該巻付け部分の内端に連設された余剰端部分から形成された角帯本体と、角帯本体の全面個所もしくは巻付け部分の内端側個所に散在する配置で設けられた多数個の引掛孔と、角帯本体の外端部に設けられた、上記引掛孔に選んで掛け止める鉤型引掛具を備えたことを特徴とするので、着用に際しては、先ず腰に巻いたのちに引掛具を掛け止める操作及び結び目を得る操作をなせばよいものであって、簡単且つ容易に着用できるものであり、着替えを素早くなすのに極めて好都合なものである。
【００２１】
請求項２に係る帯は、角帯本体が、伸縮可能糸と伸縮不可能糸を以て長手方向には伸縮すると共に幅方向に伸縮しないように織製されているものであるので、幅方向において常に腹部を良好な状態で締めることができると共に常に奇麗な状態で用いることができるものである。
【００２２】
請求項３に係る帯は、上記ように角帯本体が、多数個の引掛孔が設けられた内側・外側帯構成材をズラシ可能の状態として２枚重ねとすることにより構成とされたので、腰に巻いて使用している場合においては、内側・外側帯構成材を上下にズラして腰を広く包む状態で使用することが可能で、所謂腰部背面のコルセットとしても使用できる重宝さを合わせ備えているものである。
【００２３】
請求項４に係る帯は、上記ように内側・外側帯構成材において巻付け部分と余剰端部分の連続部を糸等により止着されているので、鉤型引掛具の掛け止めから受ける力によって、当該巻付け部分と余剰端部分との連続部及び同余剰端部分の形が乱れることがない利点がある。
【００２４】
請求項５に係る帯は、上記のように環の形状に構成された環型結び目部材を備え、請求項６に係る帯は帯通し用環部分と跳上げ飾り部分とで形成された蝶型結び目部材を備えているので、これ等結び目部材を上記のような用法で使用すれば結び目が簡単且つ短時間に作ることができて極めて便利である。
【図面の簡単な説明】
【図１】本発明に係る帯の第１実施例を示す全体の斜視図である。
【図２】同じくＡーＡ線に沿う個所の断面図である。
【図３】同じく引掛部の外し状態で示す同個所の断面図である。
【図４】内側・外側帯構成材の現物の一部を拡大して示す写真である。
【図５】余剰端部分を内側に折り立ててた状態を示す斜視図である。
【図６】余剰端部分を外側に折り倒した状態を示す斜視図である。
【図７】余剰端部分の巻き着け完了の状態を示す斜視図である。
【図８】本発明に係る帯の第２実施例を示す全体の斜視図である。
【図９】環型結び目部材が所定の位置にされた状態を示す斜視図である。
【図１０】本発明に係る帯の第３実施例を示す全体の斜視図である。
【図１１】蝶型結び目部材が所定の位置にされた状態を示す斜視図である。
【符号の説明】
１  角帯本体
２  引掛孔
３  内側帯構成材
４  外側帯構成材
５  余剰端部分
６  巻付け部分
８  鉤型引掛具
１０  糸
１２  環型結び目部材
１３  帯通し用環部分
１４  跳上げ飾り部分
１５  蝶型結び目部材
１７  引出し部分
【図１】
2004211243.tif 000003
【図２】
2004211243.tif 000004
【図３】
2004211243.tif 000005
【図４】
2004211243.tif 000006
【図５】
2004211243.tif 000007
【図６】
2004211243.tif 000008
【図７】
2004211243.tif 000009
【図８】
2004211243.tif 000010
【図９】
2004211243.tif 000011
【図１０】
2004211243.tif 000012
【図１１】
2004211243.tif 000013